(57)【要約】      （修正有）【課題】過去の対象者の感情レベルの変化をより正確に把握する情報処理装置を提供する。【解決手段】情報処理装置１の年齢取得部５１は、１以上の対象者が被写体として含まれる画像を用いて、第１の時点の１以上の対象者の年齢を取得する。対象者感情取得部５２は、第２の時間帯の１以上の対象者の感情を取得する。感情ライフメータ作成部５５は、複数の画像の夫々についての、年齢取得手段により取得された年齢と、感情取得手段により取得された感情との組に基づいて、１以上の対象者の年齢の変化に応じた感情についてのレポートを作成する。【選択図】図２
2019091185.tif 000002
【特許請求の範囲】
【請求項１】
１以上の対象者が被写体として含まれる画像を用いて、第１の時点の前記１以上の対象者の年齢を取得する年齢取得手段と、
第２の時間帯の前記１以上の対象者の感情を取得する感情取得手段と、
複数の前記画像の夫々についての、前記年齢取得手段により取得された前記年齢と、前記感情取得手段により取得された前記感情との組に基づいて、前記１以上の対象者の年齢の変化に応じた感情についてのレポートを作成するレポート作成手段と、
を備える情報処理装置。
【請求項２】
前記レポート作成手段は、前記１以上の対象者の年齢の変化に応じた感情レベルの変化を表す１以上のグラフを含む前記レポートを作成する、
請求項１に記載の情報処理装置。
【請求項３】
前記画像は、前記対象者の少なくとも１人が５乃至１２歳の時点に生成された画像を含む、
請求項１又は２に記載の情報処理装置。
【請求項４】
前記画像は、静止画像である、
請求項１乃至３のうち何れか一項に記載の情報処理装置。
【請求項５】
前記画像が取得された時点の、前記対象者以外の者の感情又は評価を取得する他人情報取得手段をさらに備え、
前記レポート作成手段は、前記対象者以外の者の感情又は評価も考慮して、前記レポートを作成する、
請求項１乃至４のうち何れか一項に記載の情報処理装置。
【発明の詳細な説明】
【技術分野】
【０００１】
本発明は、情報処理装置に関する。
【背景技術】
【０００２】
従来より、音声や画像などのデータから、感情に関する情報を取得して活用する研究が盛んに行われている。例えば、特許文献１には、ユーザに関する画像や音声等のデータから感情レベルの変化の履歴情報を取得し、その後の行動を変化させることができるロボット装置に関する発明が開示されている。
【先行技術文献】
【特許文献】
【０００３】
【特許文献１】特開２０００−２１０８８６公報
【発明の概要】
【発明が解決しようとする課題】
【０００４】
特許文献１に記載の技術は、ロボット装置をユーザの好みに合わせた行動パターンに変化させることができるものであるが、実用化のためには、その精度をさらに向上させる必要があった。
【０００５】
本発明は、このような状況に鑑みてなされたものであり、過去の対象者の感情レベルの変化をより正確に把握することを目的とする。
【課題を解決するための手段】
【０００６】
上記目的を達成するため、本発明の一態様の情報処理装置は、
１以上の対象者が被写体として含まれる画像を用いて、第１の時点の前記１以上の対象者の年齢を取得する年齢取得手段と、
第２の時間帯の前記１以上の対象者の感情を取得する感情取得手段と、
複数の前記画像の夫々についての、前記年齢取得手段により取得された前記年齢と、前記感情取得手段により取得された前記感情との組に基づいて、前記１以上の対象者の年齢の変化に応じた感情についてのレポートを作成するレポート作成手段と、
前記レポート作成手段は、前記１以上の対象者の年齢の変化に応じた感情レベルの変化を表す１以上のグラフを含む前記レポートを作成する、
ことを特徴とする。
【発明の効果】
【０００７】
本発明によれば、過去の対象者の感情レベルの変化を正確に把握できる感情ライフメータを作成することが可能になる。
【図面の簡単な説明】
【０００８】
【図１】本発明の一実施形態に係る情報処理装置のハードウェアの構成を示すブロック図である。
【図２】本発明の一実施形態に係る情報処理装置の機能的構成を示す機能ブロック図である。
【図３】図２の機能的構成を有する情報処理装置の入力画面の１例を示す図である。
【図４】図２の機能的構成を有する情報処理装置が出力する感情ライフメータの１例を示す図である。
【図５】図２の機能的構成を有する情報処理装置が感情ライフメータを生成する流れを説明するフローチャートである。
【発明を実施するための形態】
【０００９】
以下、本発明の実施形態について、図面を用いて説明する。
【００１０】
図１は、本発明の情報処理装置の一実施形態に係る情報処理装置１のハードウェアの構成を示すブロック図である。
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０と、リムーバブルメディア２１とを備えている。
【００１１】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００１２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９、及びドライブ２０が接続されている。
【００１３】
出力部１６は、生成された感情ライフメータを出力するものである。出力する方法は特に制限されないが、画面に表示させたり、紙に印刷したりする方法が挙げられる。
【００１４】
入力部１７は、過去画像が生成された時点の対象者の年齢に関する情報や、感情に関する情報、さらに他人の情報などを入力するものである。入力部１７に入力する方法は特に制限されないが、例えば、キーボード、マウス、タッチパネルなどを使用する方法でもよく、音声入力等であってもよい。
【００１５】
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、ネットワークを介して他の装置等との間で行う通信を制御する。
【００１６】
ドライブ２０には、必要に応じて、リムーバブルメディア２１が適宜装着される。ドライブ２０によってリムーバブルメディア２１から読み出されたプログラムは、必要に応じて記憶部１８にインストールされる。また、リムーバブルメディア２１は、記憶部１８に記憶されている各種データも、記憶部１８と同様に記憶することができる。
【００１７】
図２は、このような情報処理装置１が、感情ライフメータを作成、出力するための機能的構成を示す機能ブロック図である。
【００１８】
感情ライフメータが作成される場合には、図２に示すように、ＣＰＵ１１の内部において、年齢取得部５１と、対象者感情取得部５２と、画像取得部５３、他人情報取得部５４と、感情ライフメータ生成部５５とが機能する。
【００１９】
感情ライフメータ生成部５５は、入力部１７から年齢取得部５１が取得した対象者の年齢に関する情報と、入力部１７から対象者感情取得部５２が取得した対象者の感情に関する情報に基づいて、感情ライフメータを生成する。
さらに、画像取得部５３は、入力部１７から対象者の過去画像のデータを取得する。
感情ライフメータ生成部５５は、当該過去画像と感情ライフメータとを出力部１６から一緒に出力する。
【００２０】
その際に、さらに、他人情報取得部５４が取得した、対象者に対する他人の感情や評価に関する情報を考慮することで、より正確な感情ライフメータを生成することができる。
【００２１】
本発明において感情ライフメータとは、横軸に対象者の年齢を示し、縦軸に対象者の感情レベルを示すものである。この環状ライフメータを作成することにより、過去の対象者の感情レベルの変化を正確に把握することが可能になる。
【００２２】
上述した対象者の年齢、感情、さらには他人の感情、評価に関するデータは、入力部１７を介して取得してもよく、通信部１９を介してネットワークを通じて取得してもよい。
【００２３】
過去画像が生成された時点の対象者の年齢に関する情報は、対象者本人が入力してもよいが、過去画像に含まれるメタデータに撮影日時が含まれている等の理由で過去画像の撮影日がわかる場合には、対象者の生年月日と照らし合わせることで、特定することができる。
【００２４】
過去画像が生成された時点の対象者の感情に関する情報は、過去画像を見て対象者本人が入力してもよいが、過去画像から画像処理等で推定することもできる。しかしながら、対象者が、過去画像が生成された時点の感情を思い出し、振り返ることは重要であるため、対象者本人が過去画像を見て、思い出した過去画像生成時点の感情を手動で入力することが好ましい。
【００２５】
生成された感情ライフメータは、出力部１６を通じて出力されてもよく、通信部１９を通じて外部ネットワークを介して外部に発信されてもよい。
【００２６】
図３は、対象者の年齢、感情、画像、他人情報を入力する入力画面の１例を示す図である。
表示領域Ｅ１は、対象者の年齢があらかじめ表示されている、又は対象者の年齢を入力するものである。表示領域Ｅ２は、バーの値を選択して、過去画像が生成された時点の対象者の心の幸福度を、−１０〜＋１０の点数で示すものである。表示領域Ｅ３は、表示領域Ｅ２で示された対象者の心の幸福度に応じて表情が変化する人の顔型のアイコンである。表示領域Ｅ４は、表示領域Ｅ２で示した、過去画像生成時点での対象者の心の幸福度が、その値になったのかのコメントを記述するための入力フォームである。表示領域Ｅ５は、過去画像をアップロードするためのボタンであり、アップロードされた過去画像は、表示領域Ｅ６に表示される。表示領域Ｅ７は、当該入力画面で必要な情報が入力し終わった後に、次の年齢の入力画面に進むためのボタンである。
【００２７】
図４は、図２の感情ライフメータ生成部５５から生成された感情ライフメータの１例を示すグラフである。図４に示す感情ライフメータは、横軸に過去画像が生成された時点での対象者の年齢を示し、縦軸に過去画像が生成された時点での対象者の感情レベルを示す。図３のＫ１〜Ｋ２２は、図３の入力画面で入力された、それぞれ１歳〜２２歳での感情レベルを示し、グラフＧは、各年齢での感情レベルを結んだ近似曲線を示す。
【００２８】
また、本実施形態においては、感情ライフメータの下部に、図３の入力画面で取得した、過去画像Ｐ１〜Ｐ７、表示領域Ｅ４から入力されたコメントＡ１〜Ａ７が、対象者の各年齢に応じて表示される。
【００２９】
図５は、図２の機能的構成を有する情報処理装置が感情ライフメータを生成する流れの１例を示すフローチャートである。感情ライフメータ生成処理が開始されると、次のようなステップＳ１以降の処理が実行される。
【００３０】
ステップＳ１において、年齢取得部５１が、入力部１７又は通信部１９から、対象者の過去画像生成時点での年齢を取得する。次にステップＳ２において、対象者感情取得部５２が、入力部１７又は通信部１９から、対象者の過去画像生成時点での感情を取得する。
【００３１】
その後、ステップＳ３において、他者情報があるか否かが判定され、他者情報がある場合には、ステップＳ４において他人情報取得部５４が他者情報を取得してからステップＳ５に進み、他者情報がない場合には、ステップＳ４を行わずにステップＳ５にそのまま進む。
【００３２】
さらに、ステップＳ５において、全ての過去画像についての対象者の年齢、感情、他者の情報が取得されているか判定し、他にもこれらが取得されていない過去画像がある場合にはステップＳ１に戻され、もう過去画像がない場合には、感情ライフメータが生成され、処理は終了する。
【００３３】
上述した一連の処理は、ハードウェアにより実行させることもできるし、ソフトウェアにより実行させることもできる。
【００３４】
なお、本発明は、上述の実施形態に限定されるものではなく、本発明の目的を達成できる範囲での変形、改良などは本発明に含まれるものである。
【００３５】
図２の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００３６】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００３７】
このようなプログラムを含む記録媒体は、ユーザにプログラムを提供するために装置本体とは別に配布される図１のリムーバブルメディア２１により構成されるだけでなく、装置本体に予め組み込まれた状態でユーザに提供される記録媒体等で構成される。リムーバブルメディア２１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１８に含まれるハードディスク等で構成される。
【００３８】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００３９】
図３では、過去画像が生成された時点の対象者の年齢と感情を取得しているが、本発明の情報処理装置においては、過去画像が生成した時点と対象者の感情を取得する時間帯とは、同一であっても異なっていても良い。例えば、対象者が、現在の自身が写った画像を見ながら、過去の自分の感情を思い出して入力することもできる。
【００４０】
本発明の情報処理装置が感情ライフメータを生成する対象者は、１人であってもよく、２人以上のグループであってもよい。例えば、家族全員で写った過去画像を用いて感情ライフメータを生成することで、家族全体での感情レベルの変化を正確に把握することができる。
【００４１】
図４では、１つの感情ライフメータが生成されているが、本発明の情報処理装置が生成する感情ライフメータは、１つであっても、２つ以上であってもよい。生成する感情ライフメータが２つ以上である場合に、２つ以上の感情ライフメータは、２以上の対象者夫々の感情ライフメータであってもよく、１人の対象者の２以上の感情に関する感情ライフメータであってもよい。２以上の感情とは、例えば、「喜」、「怒」、「哀」、「楽」等である。
【００４２】
また、図４では、過去画像Ｐ１〜Ｐ７及びコメントＡ１〜Ａ７が記載されているが、これらは表示されていなくても良い。
【００４３】
また、図４では、感情ライフメータが作成されているが、特にこれに限定されず、１以上の対象者の年齢の変化に応じた感情のレベルの変化を表す１以上のグラフが作成されてもよい。さらに言えば、時系列順に対象者の年齢の変化に応じた感情が吹き出し等に表示されるレポート等、１以上の対象者の年齢の変化に応じた感情についてのレポートが作成されてもよい。
【００４４】
換言すれば、本発明が適用される情報処理装置は、上述の実施形態としての情報処理装置を含め、次のような構成を有する、各種各様の実施形態を取ることができる。
即ち、本発明が適用される情報処理装置は、
１以上の対象者が被写体として含まれる画像（図３では表示領域Ｅ６）を用いて、第１の時点の前記１以上の対象者の年齢を取得する年齢取得手段（図２では年齢取得部５１）と、
第２の時間帯の前記１以上の対象者の感情を取得する感情取得手段（図２では対象者感情取得部５２）と、
複数の前記画像の夫々についての、前記年齢取得手段により取得された前記年齢と、前記感情取得手段により取得された前記感情との組に基づいて、前記１以上の対象者の年齢の変化に応じた感情についてのレポートを作成するレポート作成手段（図２では感情ライフメータ生成部５５）と、
を備える。
ここで、前記レポート作成手段は、前記１以上の対象者の年齢の変化に応じた感情レベルの変化を表す１以上のグラフを含む前記レポートを作成することができる。
【００４５】
これにより、本発明の情報処理装置は、過去の対象者の感情レベルの変化を正確に把握できる感情ライフメータを作成することが可能になる。
【００４６】
過去画像の枚数や、撮影当時の年齢は特に制限されないが、画像は、前記対象者の少なくとも１人が５乃至１２歳の時点に生成された画像を含むことが好ましい。５乃至１２歳は、大人としての基礎が作られる年齢であるため、５乃至１２歳時点での感情のデータ（図４では感情レベルＫ５〜Ｋ１２）を取得することで、より正確な感情ライフメータを生成することができるからである。
【００４７】
用いる過去画像は、静止画像であっても動画像であってもよいが、対象者が過去画像を見て当時の感情を思い出す際に、より想像力を働かせ、より正確な感情ライフメータを生成することができることから、静止画像であることが好ましい。
【００４８】
換言すると、本発明の情報処理装置は、
前記画像が取得された時点の、前記対象者以外の者の感情又は評価を取得する他人情報取得手段（図２では、他人情報取得部５４）をさらに備え、
前記グラフ作成手段は、前記対象者以外の者の感情又は評価も考慮して、前記グラフを作成することが好ましい。
過去画像が生成された時点の他人の情報とは、例えば、両親の感情であったり、担任の先生の対象者への評価である。両親の感情は、対象者の過去画像を見て両親が入力することで取得することができる。担任の先生の対象者への評価は、例えば、過去画像が生成された当時の通信欄のコメントを読み込むことで取得することができる。
他人情報取得手段は必須の構成ではないが、より正確な感情ライフメータを生成できることから、本発明の情報処理装置に含まれることが好ましい。
【符号の説明】
【００４９】
１・・・情報処理装置，１１・・・ＣＰＵ，１２・・・ＲＯＭ，１３・・・ＲＡＭ，１４・・・バス，１５・・・入出力インターフェース，１６・・・出力部，１７・・・入力部，１８・・・記憶部，１９・・・通信部，２０・・・ドライブ，２１・・・リムーバブルメディア，５１・・・年齢取得部，５２・・・対象者感情取得部，５３・・・画像取得部，５４・・・他人情報取得部，５５・・・感情ライフメータ生成部，Ａ１〜Ａ７・・・コメント，Ｅ１〜Ｅ７・・・表示領域，Ｋ１〜Ｋ２２・・・感情レベル，Ｐ１〜Ｐ７・・・過去画像，Ｓ１〜Ｓ５・・・ステップ
【図１】
2019091185.tif 000003
【図２】
2019091185.tif 000004
【図３】
2019091185.tif 000005
【図４】
2019091185.tif 000006
【図５】
2019091185.tif 000007